(57)【要約】      （修正有）【課題】満員電車などに立って乗っているときに、重い鞄などの荷物を、楽に所持できる荷物所持補助具を提供する。【解決手段】乗物の吊革１又は手摺り２に係止するための第１フック３から下方に垂設される第１紐体５の下端に設けられた第２フック１５が荷物を係止する。よって、人２９の腕は、荷物の重さから解放される。また、第２フック１５の近傍に設けられた第２紐体２１の先端にある第３フック２７が、荷物を所持する人２９のベルト類に係止する。よって、荷物が大きく揺れることを防止でき、常にその人２９の身体の近くに位置させうる。また、第１紐体５は、リール巻取り式によって長さを伸縮できる。【選択図】図１
0003137589.tif 000002
【実用新案登録請求の範囲】
【請求項１】
乗物の吊革又は手摺りに係止するための第１フックと、この第１フックから下方に垂設される第１紐体と、この第１紐体の下端に設けられ荷物を係止する第２フックと、第２フックの近傍に第２紐体を介して設けられ、前記荷物を所持する人のベルト類に係止するための第３フックと、を有することを特徴とする荷物所持補助具。
【請求項２】
前記第１紐体は、リール巻取り式装置によって長さを伸縮できることを特徴とする請求項１に記載の荷物所持補助具。
【考案の詳細な説明】
【技術分野】
【０００１】
この考案は、電車などの乗物に載っているときに、鞄などの荷物を、楽に所持するための補助具に関する。
【背景技術】
【０００２】
満員電車などに立って乗っているときに、重い鞄などの荷物を、所持するのに困難を感じるのは、万人が経験することである。
すなわち、立っている自分の体を支えるために、一方の腕で吊革又や手摺りにつかまり、他方の腕で鞄を持つ。鞄が重いと、腕が疲れるので、床に下ろしたいが、満員だと鞄を置くためのスペースが床にはないことも多い。
また、鞄を網棚に置くことも難しい。その理由は色々ある。例えば、既に網棚がほかの荷物でいっぱいであることがあるためもある。一度、網棚に置いてしまうと、満員の中で今度は網棚から下ろすのに大変な思いをするためもある。網棚に置いてしまうと、電車を乗り換えたり、降りたりするときに、荷物を忘れる恐れがあるためもある。
【０００３】
特許文献１では、複数の鞄などをまとめて所持するためのベルトが記載される。
特許文献２には、満員電車などで使用できる自分専用の吊革装置が記載される。  
【特許文献１】実開昭63-194159
【特許文献２】実用新案登録3036464
【考案の開示】
【考案が解決しようとする課題】
【０００４】
しかしながら、特許文献１は、ベルトそのものは人が持たなければならず、満員電車などでの上記の困難には役立たない。
また、特許文献１は、満員電車などで吊革の数が足りないときには有効ではあるが、荷物そのものは自分で持たなければならず、上記の困難には役立たない。
この考案は、以上の問題点を解決するために、満員電車などに立って乗っているときに、重い鞄などの荷物を、楽に所持できる荷物所持補助具を提供することを目的とする。
【課題を解決するための手段】
【０００５】
以上の課題を解決するために、第一考案は、乗物の吊革又は手摺りに係止するための第１フックと、この第１フックから下方に垂設される第１紐体と、この第１紐体の下端に設けられ荷物を係止する第２フックと、第２フックの近傍に第２紐体を介して設けられ、前記荷物を所持する人のベルト類に係止するための第３フックと、を有することを特徴とする荷物所持補助具である。
【０００６】
第二考案は、さらに、前記第１紐体は、リール巻取り式装置によって長さを伸縮できることを特徴とする荷物所持補助具である。 
【考案の効果】
【０００７】
第一、又は第二考案によれば、荷物の重さは、乗物の吊革又は手摺り、第１フック、第１紐体、及び第２フックによって支えられ、人の腕は、荷物の重さから解放される。また、第２紐体、及び第３フックを介して、荷物は、所持する人のベルト類に係止されるので、荷物が大きく揺れることを防止でき、常にその人の身体の近くに位置させうる。よって、重い鞄などの荷物であっても、楽に所持できる。
【０００８】
第二考案によれば、さらに、第１紐体は、長さを伸縮できるので、荷物の縦の大きさ、乗物の床から吊革又は手摺りまでの高さ、所持する人の身長などに、対応できる。  
【考案を実施するための最良の形態】
【０００９】
この考案の実施形態を、図１及び図２に示す。
乗物である電車の中で、吊革１又は手摺り２に係止するため、第１フック３が設けられる。この第１フック３は、第１紐体５を伸縮するリール巻取り式装置７の筐体９に固定される。
【００１０】
このリール巻取り式装置７は、犬などのペットを散歩させるときなどに使用する伸縮式リード装置（例えば特開2006-081403など）が利用できる。すなわち、第１紐体５は、リール巻取り式装置７の内部のリールに巻き取られ、このリールはゼンマイバネにより巻取り方向へ付勢される。このリールはラチェット機構を有し、リールと同軸に設けられる歯車のラックが、装置本体側の爪に噛み合うことで、リールの巻取り方向のみへの回転を許す。また、装置の筐体９のボタン１０を押すと、爪が外れてラチェット機能が解除され、第１紐体５を任意の長さに調整できる。このようにして、第１紐体５を任意の長さにして、荷物の重さが支えられる。第１紐体５は、ペットのリードに用いられる材質のものが使用でき、たとえば、ステンレスワイヤーにビニールコートを施したものが使用できる。
【００１１】
このようにして下方に垂設される第１紐体５の下端に、輪金具１１、及び回転金具１３を介して、第２フック１５が設けられる。この第２フック１５が、たとえば荷物である鞄１７の取っ手１９に係止する。第２フック１５には、この実施形態においては、カラビナが使用される。
すなわち、このカラビナは、梨型の輪である本体１５ａの一部が、切り欠かれ、この切欠部１５ｂにフィンガー１５ｃが設けられる。このフィンガー１５ｃの上端は、切欠部１５ｂの上端に、スピンドルなどと呼ばれ復帰動作する回転軸１５ｄにより取り付けられる。フィンガー１５ｃの下端には、切欠部１５ｂの下端に形成されるキャッチなどと呼ばれる雌部１５ｅに、噛み合う雄部１５ｆが形成される。この噛み合いによって、フィンガー１５ｃはしっかりと閉じられ、また、本体１５ａの内側へのみ開くことができる。よって、鞄１７の取っ手１９に係止が不用意に外れることを防止できる。また、鞄１７の取っ手１９からカラビナを外さずに、鞄１７と共に持ち運ぶこともできる。
なお、第２フック１５には必ずしもカラビナを設ける必要はなく、例えば図示しないが、係止した取っ手１９が外れないように、通常のフックに舌状の外れ止めを設けることもできる。
【００１２】
第２フック１５の近傍である輪金具１１と回転金具１３の間は、径が小さくなっており、この径の小さな部分に、第２紐体２１である皮紐がループ状に巻きつけられ、抜けないように止め金具２３で止められる。この第２紐体２１の先端に、第２輪金具２５を介して、第３フック２７が設けられる。
【００１３】
この第３フック２７は、人２９のズボン３１のベルト３３に係止しやすいように、下向きのコの字状をなし、コの字状の先端３５は、さらに、内側に屈曲する。係止は、ベルト３３のほかズボン３１の上縁などへも可能である。
【００１４】
「実施形態の効果」
この実施形態によれば、荷物の重さは、乗物の吊革１又は手摺り２、第１フック３、リール巻取り式装置７、第１紐体５、及び第２フック１５によって支えられる。よって、人２９の腕は、荷物の重さから解放される。
【００１５】
また、第２紐体２１、及び第３フック２７を介して、荷物は、所持する人２９のベルト類に係止されるので、荷物が左右に大きく揺れることを防止できる。そして、常にその人２９の腰の近くに位置させうる。よって、重い鞄１７などの荷物であっても、楽にコントロールしながら所持できる。
【００１６】
さらに、第１紐体５は、リール巻取り式装置７によって長さを伸縮できるので、荷物の縦の大きさ、乗物の床から吊革１又は手摺り２までの高さ、所持する人２９の身長などに、直ちに対応でき、第１紐体５を適切な長さにできる。
また、第１紐体５をリール巻取り式装置７によって縮め、鞄１７の取っ手１９からカラビナを外さずに、この補助具を鞄１７と共に持ち運び、必要なときに第１紐体５を伸ばして、迅速に使用することができる。
【００１７】
「他の実施形態」
以上の実施形態では、リール巻取り式装置７は、第１紐体５の上端、すなわち第１フック３と連続して設けられたが、他の実施形態では、第１紐体５の下端に設けることも可能である。
以上の実施形態では、第１紐体５は、リール巻取り式装置７によって長さを伸縮できるとしたが、他の実施形態では、リール巻取り式装置７によらず、通常の金具で、荷物を所持するその人専用の長さにあらかじめ伸縮しておくことも可能である。
以上の実施形態では、第１フック３は、長さは固定されていたが、他の実施形態では、筐体９に対して伸縮可能に設けることができる。すなわち、スライド機構により任意の長さにでき、その長さをロック機構でロックすることができる。このようにすることで、背が低い人も、吊革１又は手摺り２までの高さが高くても、第１フック３の係止を容易に行われる。
【図面の簡単な説明】
【００１８】
【図１】この考案の一実施形態に係る荷物所持補助具の使用状態を示す図である。
【図２】図１の荷物所持補助具を拡大して示す拡大斜視図である。
【符号の説明】
【００１９】
１…手摺り、３…第１フック、５…第１紐体、７…式装置、９…筐体、１１…輪金具、１３…回転金具、１５…第２フック、１７…鞄、１９…手、２１…第２紐体、２３…止め金具、２５…第２輪金具、２７…第３フック、２９…人、３１…ズボン、３３…ベルト、３５…先端。
【図１】
0003137589.tif 000003
【図２】
0003137589.tif 000004